(57)【要約】【課題】グリップに弧状に設けられたベルトをビンの蓋部の周囲に巻き回し、グリップを回動させてビンの蓋を開ける蓋開け具において、ベルトが描く弧が円に近くなり易くて作業が容易であり、ベルトの弛みを除く作業があまり必要ではない蓋開け具を提供する。【解決手段】グリップ３の上部に略Ｌ字状の上面部１１が形成される。この略Ｌ字状の縦辺の先端である上段面部１３と、略Ｌ字状の横辺である下段面部１５と、略Ｌ字状の縦辺に貫通する横孔として形成され下段面部１５に隣接する空間部１７と、が形成される。そして、ベルト５は、空間部１７の内部上面に一端１９が固定され、略Ｌ字状の横辺が向かう方向へ設けられ、上面部１１の上空を回って弧２１を描き、空間部１７に入り、一端１９の下を二重状態になって通り、再び略Ｌ字状の横辺が向かう方向へ他端が延設される。【選択図】図１
2013052902.tif 000002
【特許請求の範囲】
【請求項１】
グリップに設けられたベルトをビンの蓋の周囲に巻き回し、グリップを所定方向へ回動させてビンの蓋を開ける蓋開け具において、
グリップの上部に形成された略Ｌ字状の上面部と、この略Ｌ字状の縦辺の先端である上段面部と、前記略Ｌ字状の横辺である下段面部と、前記略Ｌ字状の縦辺に貫通する横孔として形成され前記下段面部に隣接する空間部と、この空間部の内部上面に一端が固定され、前記略Ｌ字状の横辺が向かう方向へ設けられ、前記上面部の上空を回って弧を描き前記空間部に入り、前記一端の下を二重状態になって通り、再び前記略Ｌ字状の横辺が向かう方向へ他端が延設されたベルトと、を有することを特徴とする蓋開け具。
【請求項２】
前記グリップは、下部が、上下方向へスライドして伸縮し長さを可変とする構成になっていることを特徴とする請求項1に記載の蓋開け具。
【請求項３】
前記グリップの前記上面部の左右どちらか一方に、缶のプルタブに引っ掛け可能なL字型金具を備えていることを特徴とする請求項1に記載の蓋開け具。
【発明の詳細な説明】
【技術分野】
【０００１】
この発明は、グリップに設けられたベルトをビンの蓋部の周囲に巻き回し、グリップを所定方向へ回動させてビンの蓋を開ける蓋開け具に関する。
【背景技術】
【０００２】
ジャムなど入っているビンの蓋などは、自分で閉めて、また再度空けようとしても、期間を置けば置くほどに、蓋周辺の錆びや、密着などにより開けづらくなる。素手でどうしても開かない時は蓋の周りを叩いてショックを与えるか、暖めてから開けるなどされるが、蓋を開けるための手段としてのいろいろなオープナーが市場で販売されてる。
【０００３】
このようなオープナーのうち、グリップに設けられたベルトをビンの蓋部の周囲に巻き回し、グリップを所定方向へ回動させてビンの蓋を開ける蓋開け具が存在する。
特許文献１は、そのような蓋開け具のひとつである。すなわち、図６の断面図に示すように、グリップ１０１内部に上下に貫通する縦孔としての中空部１０３を備える。この中空部１０３の上部で、縁部の一端にベルト１０５の一端１０７が固定され、このベルト１０５は上方へ延び、この中空部１０３の上空を回って弧１０９を描き、再び中空部１０３に入り、他端１１１が中空部１０３の下方へ挿通される。ベルト１０５の描く弧１０９の中に、図示しないビンの蓋を位置させ、ベルト１０５の他端１１１を下方へ引くことで、ベルト１０５を図示しないビンの蓋部の周囲に巻き回す。その状態で、グリップ１０１を図中右方向１１３へ回動させると、ビンの蓋を開けることができる。
【先行技術文献】
【特許文献】
【０００４】
【特許文献１】特開２０００−２８１１８５号公報
【発明の概要】
【発明が解決しようとする課題】
【０００５】
しかしながら、上記特許文献１の蓋開け具は、（１）使い勝手が良くない。すなわち、グリップ内部に上下に貫通する縦孔としての中空部は、それほど内径の大きなものは形成しにくい。このため、この内径の小さな縦孔によって、ベルトが描く弧は、下方で絞られた形状になり、縦長の細い楕円になってしまう。この細い楕円の中に、ビンの蓋を位置させるには、片方の手で縦長の楕円の頂部を下方へ押したり、楕円の左右の周辺部を広げたりしながら、楕円を円に近づけて、この円の中にビンの蓋を位置させる作業をしないといけない。この作業が案外面倒である。
【０００６】
（２）さらに、グリップの力がベルトを介して蓋に効率よく伝わるには、ベルトが蓋に密着する必要があり、このため、ベルトの弛みを除くよう、常にベルトの他端を下方へ引き、ベルトを強く締付ける作業が必要であり、面倒である。
（３）また、ビンの蓋を開ける方向へグリップを回動すると、蓋は、中空部の上部で縁部の他端に設けられたベルト支持部材１１５により、ベルト１０５が押し当てられるにもかかわらず、このベルト１０５が、スムーズに中空部１０３内に挿入されていく必要のために、ベルト支持部材１１５が滑りのよい低摩擦樹脂からなる必要がある、とされている。しかし、そのような押し当てられた状態でも滑りを生じるような低摩擦樹脂の選定はなかなか困難である。
【０００７】
（４）また、グリップの力がベルトを介して蓋に効率よく伝わるには、ベルトと蓋との摩擦を大きくする必要があり、このため、ベルト３の内周面には、摩擦抵抗を増加させるための高摩擦抵抗処理（滑り止め処理）が施される必要があり、装置の製造コストを高くしてしまう。
【０００８】
この発明は、以上の問題点を解決するために、ベルトが描く弧が円に近くなり易くて作業が容易であり、ベルトの弛みを除く作業があまり必要ではなく、低摩擦樹脂や高摩擦抵抗処理が必要ではない蓋開け具を提供することを目的とする。
【課題を解決するための手段】
【０００９】
以上の課題を解決するために、第一発明は、グリップに設けられたベルトをビンの蓋の周囲に巻き回し、グリップを所定方向へ回動させてビンの蓋を開ける蓋開け具において、グリップの上部に形成された略Ｌ字状の上面部と、この略Ｌ字状の縦辺の先端である上段面部と、前記略Ｌ字状の横辺である下段面部と、前記略Ｌ字状の縦辺に貫通する横孔として形成され前記下段面部に隣接する空間部と、この空間部の内部上面に一端が固定され、前記略Ｌ字状の横辺が向かう方向へ設けられ、前記上面部の上空を回って弧を描き前記空間部に入り、前記一端の下を二重状態になって通り、再び前記略Ｌ字状の横辺が向かう方向へ他端が延設されたベルトと、を有することを特徴とする蓋開け具である。
【００１０】
第二発明は、さらに、前記グリップは、下部が、上下方向へスライドして伸縮し長さを可変とする構成になっていることを特徴とする蓋開け具である。
第三発明は、さらに、前記グリップの前記上面部の左右どちらか一方に、缶のプルタブに引っ掛け可能なL字型金具を備えていることを特徴とする蓋開け具である。
【発明の効果】
【００１１】
第一、第二、又は第三発明によれば、ベルトは、空間部の内部上面に一端が固定され、略Ｌ字状の横辺が向かう方向へ設けられ、上面部の上空を回って弧を描き空間部に入り、他端の下を通り、再び前記略Ｌ字状の横辺が向かう方向へ他端が延設される。このため、ベルトが描く弧は、特許文献１のようには、ベルトが通る孔の大きさの影響を受けずに、円に近くなり易い。よって、この略円弧の中に、ビンの蓋を位置させる作業が容易である。
【００１２】
また、この略円弧の中に、ビンの蓋を位置させ、ベルトの他端を引っ張れば、ベルトが蓋の周囲に巻き回わされる。その状態でグリップを、グリップの略Ｌ字状の横辺が向かう方向へ回動する。すると、蓋は、二重状態になったベルトを介して、グリップの下段面部と接触する。そして、この下段面部との接触部分が支点になり、グリップを回動する力が、てこの原理により、上段面部側のベルトを介して、蓋との接触部を作用点とし、蓋を引っ張り、蓋を開けることができる。
【００１３】
その際に、逆に、下段面部との接触部分を作用点として見ると、上段面部側のベルト付近が支点になり、グリップを回動する力が、てこの原理により、下段面部との接触部分である作用点に、大きな押し付ける力として働く。この力は、蓋を開けようとすればするほどに大きな力となる。しかも、この蓋と下段面部との接触部分において、ベルトは二重状態になっている。これらのために、ベルトは滑りにくい。従って、グリップの力がベルトを介して蓋に効率よく伝わる。
【００１４】
よって、ベルトの弛みを除くよう、常にベルトの他端を下方へ引いたり、ベルトを強く締付けたりする作業は、必要ではなくなる。さらに、特許文献１のように、低摩擦樹脂の部品を設けたり、ベルトを高摩擦抵抗処理したりする必要がない。
第二、又は第三発明によれば、さらに、グリップの長さを可変とすることで、必要に応じて、グリップを回動する力を大きなものにできる。
第三発明によれば、さらに、ビンの蓋を開けるだけでなく、必要に応じて、缶のプルタブを引っ張って容易に開けることができる。
【図面の簡単な説明】
【００１５】
【図１】本発明の実施形態に係る蓋開け具の斜視図である。
【図２】図１の縦断面図である。
【図３】この実施形態の使用状態を示すもので、ビンの蓋を開ける様子を示す斜視図である。
【図４】この実施形態の使用状態を示すもので、ペットボトルの蓋を開ける様子を示す斜視図である。
【図５】この実施形態の使用状態を示すもので、缶などのプルタブを開ける様子を示す斜視図である。
【図６】従来の蓋開け具の縦断面図である。
【発明を実施するための形態】
【００１６】
この発明の実施形態を、図１〜図５に示す。
［全体概略］
図１，及び図２に示すように、この実施形態に係る蓋開け具１は、グリップ３に設けられたベルト５を、図３に示すようにビン７の蓋９の周囲に巻き回し、グリップ３を所定方向へ回動させてビン７の蓋９を開けるための道具である。グリップ３とベルト５とを有して構成される。
【００１７】
グリップ３の上部には、略Ｌ字状の上面部１１が形成されている。この上面部１１には、略Ｌ字状の縦辺の先端として上段面部１３が形成される。また、略Ｌ字状の横辺として下段面部１５が形成される。さらに、略Ｌ字状の縦辺に貫通する横孔としての空間部１７が形成される。この空間部１７は、下段面部１５に隣接する。
【００１８】
ベルト５は、この空間部１７の内部上面に一端１９が固定され、略Ｌ字状の横辺が向かう方向へ向かって延設される。さらに、この延設方向において、上面部１１の上空を回って弧２１を描き、その後、空間部１７に入る。そして、空間部１７に入ったベルト５は、このベルト５の始めの一端１９の下を二重状態になって通り、再び、グリップ３の略Ｌ字状の横辺が向かう方向へ他端２２が延設される。
【００１９】
グリップ３は、下部２３が、上下方向へスライドして伸縮し長さを可変とする構成になっている。
グリップ３の上面部１１の左右どちらか一方に、缶のプルタブに引っ掛け可能なL字型金具２５が備えられている。
【００２０】
［グリップ３］
グリップ３は手で握り易いように形作られた樹脂材である。グリップ３の上部の略Ｌ字状の上面部１１には、略Ｌ字状の縦辺の先端として上段面部１３が形成され、略Ｌ字状の横辺として下段面部１５が形成され、略Ｌ字状の縦辺に貫通する横孔としての空間部１７が形成され、この空間部１７は下段面部１５に隣接する。空間部１７は、上段面部１３に平行し、横孔としてその両端は開放されている。中空部の上下幅は、ベルト同士が重なりあうより大きく、これによりベルト５の他端側がスムーズに出し入れ出来る幅になっている。
【００２１】
［ベルト５］
ベルト５には、強靭で、しかも蓋９のサイズに合わせて、弧２１の大きさが容易に変形し得る長さを有する。例えば伸縮しない心材の周囲に、ゴムなどの摩擦係数の大きな素材が使われた帯体が用いられている。
【００２２】
［L字型金具２５］
アルミ缶やスチール缶などのプルタブを引き起こすためのＬ字型金具が、空間部１７の図中左側の底部に固定され、左側へ向かって突出している。
［長さ可変構成］
グリップ３は、図２に示すように、グリップ３の下部２３が、スライドケース２７の中に収納され、上下方向へスライドして伸縮し長さを可変とする構成を有する。グリップ３の下部２３の下端には、左右幅が広くなった係止段差下２９が形成される。これに対向して、スライドケース２７の上端には、厚みの左右幅が広くなった係止段差上３１が形成される。グリップ３の下部２３が、スライドして伸び長さが長くなった際には、係止段差下２９に係止段差上３１が係止して、抜け落ち防止が図られる。
【００２３】
［使用方法］
図１、図２に示すように、この実施形態に係る蓋開け具１によれば、ベルト５は、空間部１７の内部上面に一端１９が固定され、略Ｌ字状の横辺が向かう方向へ設けられ、上面部１１の上空を回って弧２１を描き空間部１７に入り、他端の下を通り、再び前記略Ｌ字状の横辺が向かう方向へ他端が延設され、弧２１を描いており、この弧２１は、ベルト５が横孔である空間部１７を通るので、円に近くなり易く、この略円弧の中に、図３に示すように、ビン７の蓋９を容易に位置させる。
【００２４】
そして、ベルト５の他端を引っ張れば、ベルト５が蓋９の周囲に巻き回わされる。このとき、ベルト５はグリップ３の空間部１７に対して出し入れはスムーズであるため、ベルト５の弧２１の大小の調整は簡単であり、ビン７の蓋９の大きさに合すのも容易である。また、このとき、ベルト５の他端を強く引っ張り、ビン７の蓋９を強く締め付ける必要はない。ビン７の蓋９にベルト５が外れない程度でいい。
【００２５】
その状態でグリップ３を、グリップ３の略Ｌ字状の横辺が向かう方向、すなわち図３中右方向２４へ回動する。すると、蓋９は、グリップ３の上段面部１３と接触するとともに、下段面部１５とも接触する。下段面部１５は、二重状態になったベルト５を介して、蓋９と接触する。この接触により、ベルト５は大きな摩擦を得、蓋９に対して、動かない。よって、ベルト５が滑って戻されるということはない。そして、この下段面部１５との接触部分が支点２６になり、グリップ３を回動する力が、てこの原理により、上段面部１３側で空間部１７の左に位置するベルト５を介して、蓋９との接触部を作用点２８とし、蓋９を引っ張り、蓋９を左回り３０に回転させ開けることができる。
【００２６】
以上は、大きなビン７の蓋９を開ける場合を説明したが、次に、図４において、ペットボトル３２の小さな蓋９の開け方について説明する。使い方は大きな蓋９の開け方と同じである。
なお、小さな蓋９も開けられるように、グリップ３上部の略Ｌ字状において、上段面部１３の左右幅をやや小さくし、略Ｌ字状縦辺の長さをややの小さくすることが、望ましい。
次に、アルミ缶３３のプルタブ３５を開ける使用方法を図５に示す。Ｌ字型金具２５の先の爪３７をプルタブ３５のリング３９に差込み、Ｌ字型金具２５の角４１を、支点にして引き起こせば簡単にプルタブ３５が開く。この時、Ｌ字型金具２５の大小と、角４１の角度は問わない。
【００２７】
「実施形態の効果」
この実施形態に係る蓋開け具１によれば、ベルト５は、空間部１７の内部上面に一端１９が固定され、略Ｌ字状の横辺が向かう方向へ設けられ、上面部１１の上空を回って弧２１を描き空間部１７に入り、他端の下を通り、再び前記略Ｌ字状の横辺が向かう方向へ他端が延設される。このため、ベルト５が描く弧２１は、特許文献１のようには、ベルト５が通る孔の大きさの影響を受けずに、円に近くなり易い。すなわち、ベルト５を横孔である空間部１７へ通すことにより、ベルト５には反り返りの力が働き、ビン７の蓋９を置きやすい円弧状となりやすい。よって、この略円弧の中に、ビン７の蓋９を位置させる作業が容易である。
【００２８】
また、この略円弧の中に、ビン７の蓋９を位置させ、ベルト５の他端を引っ張れば、ベルト５が蓋９の周囲に巻き回わされる。その状態でグリップ３を、グリップ３の略Ｌ字状の横辺が向かう方向へ回動する。すると、蓋９は、グリップ３の上段面部１３と接触するとともに、二重状態になったベルト５を介して、グリップ３の下段面部１５と接触する。そして、この下段面部１５との接触部分が支点２６になり、グリップ３を回動する力が、てこの原理により、上段面部１３側のベルト５を介して、蓋９との接触部を作用点２８とし、蓋９を引っ張り、小さな力で蓋９を開けることができる。
【００２９】
その際に、支点と作用点の働きを逆にして考察してみる。すなわち、下段面部１５との接触部分を作用点（前記２６）として見ると、上段面部側１３のベルト５付近が支点（前記２８）になり、グリップ３を回動する力が、てこの原理により、下段面部１５との接触部分である作用点（前記２６）に、大きな押し付ける力として働くことがわかる。この力は、蓋９を開けようとすればするほどに大きな力となる。しかも、この蓋９と下段面部１５との接触部分において、ベルト５は二重状態になっている。これらのために、ベルト５はきわめて滑りにくい。従って、グリップ３の力がベルト５を介して蓋９に効率よく伝わる。
【００３０】
よって、ベルト５の弛みを除くよう、常にベルト５の他端を下方へ強く引いたり、ベルト５を強く締付けたりする作業は、必要ではなくなる。さらに、特許文献１のように、低摩擦樹脂の部品を設けたり、ベルト５を高摩擦抵抗処理したりする必要がない。
さらに、グリップ３の長さを可変とすることで、必要に応じて、グリップ３を回動する力を大きなものにできる。すなわち、グリップ３へ加える手の力は同じでも、グリップ３を回動させるモーメントとしての力は大きくなるので、ビン７の蓋９を開けるのはより容易になる。また、ビン７の蓋９のサイズに合わせて力を加減するのも容易である。さらに、蓋開け具１を収納箇所へ収納する収納時には、グリップ３を短くすることでより収納しやすくなり、実用的、利便性を備えている。
【００３１】
さらに、ビン７の蓋９を開けるだけでなく、必要に応じて、缶のプルタブ３５を引っ張って容易に開けることができる。
以上説明したように、この実施形態に係る蓋開け具１においては、複雑な機構でなく、しかも簡単な操作でベルト５を巻き回し、蓋９を無理なく確実に開けることが出来る。
また、ベルト５はグリップ３の空間部１７に対して出し入れ自在であるため、ビン７の蓋９のサイズに、ベルト５の弧２１の大きさ合すのも容易である。また、ベルト５はビン７の蓋９に強く締め付ける必要はないので、使い勝手が良好であるばかりでなく、コスト的にも安価に製造できる。
【符号の説明】
【００３２】
１…蓋開け具、３…グリップ、５…ベルト、７…ビン、９…蓋、１１…上面部、１３…上段面部、１５…下段面部、１７…空間部、１９…一端、２１…弧、２３…下部、２５…字型金具、２６・・支点（または作用点）、２８・・作用点（または支点）、２７…スライドケース、２９…係止段差下、３１…係止段差上、３３…アルミ缶、３５…プルタブ、３７…爪、３９…リング、４１…角。
【図１】
2013052902.tif 000003
【図２】
2013052902.tif 000004
【図３】
2013052902.tif 000005
【図４】
2013052902.tif 000006
【図５】
2013052902.tif 000007
【図６】
2013052902.tif 000008
【手続補正書】
【提出日】平成24年1月23日(2012.1.23)
【手続補正１】
【補正対象書類名】特許請求の範囲
【補正対象項目名】全文
【補正方法】変更
【補正の内容】
【特許請求の範囲】
【請求項１】
グリップに設けられたベルトをビンの蓋の周囲に巻き回し、グリップを所定方向へ回動させてビンの蓋を開ける蓋開け具において、
グリップの上部に形成された略Ｌ字状の上面部と、この略Ｌ字状の縦辺の先端である上段面部と、前記略Ｌ字状の横辺である下段面部と、前記略Ｌ字状の縦辺に貫通する横孔として形成され前記下段面部に隣接する空間部と、この空間部の内部上面に一端が固定され、前記略Ｌ字状の横辺が向かう方向へ設けられ、前記上面部の上空を回って弧を描き前記空間部に入り、前記一端の下を二重状態になって通り、再び前記略Ｌ字状の横辺が向かう方向へ他端が延設されたベルトと、を有し、前記グリップを前記略Ｌ字状の横辺が向かう方向へ回動することで前記蓋を開けることを特徴とする蓋開け具。
【請求項２】
前記グリップは、下部が、上下方向へスライドして伸縮し長さを可変とする構成になっていることを特徴とする請求項1に記載の蓋開け具。
【請求項３】
前記グリップの前記上面部の左右どちらか一方に、缶のプルタブに引っ掛け可能なL字型金具を備えていることを特徴とする請求項1に記載の蓋開け具。